(57)【特許請求の範囲】
【請求項１】
ロール紙を転動可能に収納するロール紙トレイから引き出されたロール紙をカール方向とは逆方向に引張してカールを除去する画像形成装置におけるカール除去装置であって、
ロール紙をカール方向とは逆方向に引張してカールを除去するカール除去部と、カール除去部から所定角度をもって連設されたホルダ部と、ホルダ部の両側に形成されるとともに支持孔が設けられた一対の支持部とを有するカール除去プレートと、
カール除去プレートを回動可能に保持すべく画像形成装置の本体内部に設けられ、各支持部の支持孔に一側方向から挿嵌され、前記支持部を支持する支持軸が形成された一対の支持片と、ホルダ部が対向される平板部とを有するプレート保持部とが設けられてなるカール除去装置において、
前記カール除去プレートのホルダ部又はプレート保持部の平板部の一方に形成された切欠部と、
前記カール除去プレートのホルダ部又はプレート保持部の平板部の他方に形成されるとともに前記切欠部に弾性的に係止されて平板部に対するカール除去プレートの位置決めを行う弾性係止片とを備え、
カール除去プレートは、各支持部の支持孔が各支持片の支持軸に対して一側方向から挿嵌されるようにホルダ部を平板部上でスライドさせるとともに、切欠部内に弾性係止片を係止することにより、プレート保持部に取り付けられることを特徴とする画像形成装置におけるカール除去装置。
【請求項２】
前記弾性係止片は、プレート保持部の平板部に連続する連結部を残存させた状態で周囲を切断することにより形成されていることを特徴とする請求項１記載の画像形成装置におけるカール除去装置。
【請求項３】
前記弾性係止片には、前記連結部と反対側の端部に係止突起が形成されていることを特徴とする請求項２記載の画像形成装置におけるカール除去装置。
【請求項４】
前記係止突起は、前記一側方向側に傾斜面が形成されていることを特徴とする請求項３記載の画像形成装置におけるカール除去装置。
【発明の詳細な説明】
【０００１】
【発明の属する技術分野】
本発明は、印字用紙としてロール状に巻回されたロール紙を使用するファクシミリ装置等の画像形成装置において、ロール紙トレイからロール紙を引き出す際にロール紙をそのカール方向とは逆方向に引張してカールを除去するカール除去装置に関し、特に、カール除去装置のカール除去プレートを画像形成装置の本体に対してワンタッチで取り付けることが可能であり、もって組立工程を簡素化して組立作業を容易に行うことが可能なカール除去装置に関するものである。
【０００２】
【従来の技術】
一般に、筒状の芯に巻回されたロール紙を使用するファクシミリ装置等においては、芯から引き出されたロール紙には必然的にカールが発生し、かかるカールを取り除かないと印字部にて受信文字等を印字した後ファクシミリ装置等から排出される用紙もカールしてしまい、受信用紙の取り扱いが煩雑となることから、従来よりロール紙のカールを除去する各種のカール除去装置が提案されている。
【０００３】
例えば、特開平５−２３８６１７号公報には、ファクシミリ装置における上部カバーのフランジ部にカール取り板がネジを介して固着されてなるカール除去装置が記載されており、かかるカール除去装置では、ロール紙トレイから引き出されたロール紙が、カール取り板のノーズ部の近傍に配設されたガイドバーとノーズ部との協働により、カール方向とは逆方向に引張されてカールが除去される。
【０００４】
前記特開平５−２３８６１７号公報に記載されたカール除去装置では、カール取り板は上部カバーのフランジにネジを介して固着されている。このように、カール取り板をネジにより固着する場合には、上部カバーに対するカール取り板の固着作業が煩雑なものとなり、これよりカール除去装置の組立作業を容易に行うことができない。
【０００５】
そこで、ファクシミリ装置の本体内部に対してカール除去プレートの取付を簡単に行うべく、例えば、図４、図５に示すようなカール除去装置が存在する。ここで、図４、図５に基づきカール除去プレートの取付を簡単にした従来のカール除去装置について説明する。図４は従来のカール除去装置においてカール除去プレートとプレート保持部との関係を模式的に示す斜視図、図５はカール除去プレートをプレート保持部に組み付けた状態を模式的に示す斜視図である。
【０００６】
図４、図５において、ファクシミリ装置の内部にはプレート保持部１００が形成されており、このプレート保持部１００には一対の支持片１０１が設けられている。各支持片１０１において、同一側面（図４、図５中、右側面）には支持軸１０２が一体に形成されている。また、各支持片１０１の間には平板部１０３が設けられている。カール除去プレート１０４は、先端が曲折されてロール紙に接触しつつそのカール方向とは逆方向に引張してロール紙のカールを除去するカール除去部１０５、カール除去部１０５から所定角度をもって連設されたホルダ部１０６、及び、ホルダ部１０６の両側に配置されるようにカール除去部１０５の両側縁に形成されるとともに支持孔１０７が設けられた一対の支持部１０８とから構成されている。
【０００７】
前記のように構成されたプレート保持部１００に対してカール除去プレート１０４を取り付けてカール除去装置を組み立てるには、平板部１０３上でホルダ部１０６を左方向にスライドさせながら、カール除去プレート１０４における各支持部１０８の支持孔１０７を、プレート保持部１００における各支持片１０１の支持軸１０２に回動可能に挿嵌し、更に、カール除去プレート１０４の回動中に支持部１０８が各支持軸１０２の方向に移動して横方向（図４、図５中、左右方向）のガタが発生しないように、一方の支持軸１０２にＥリング１０９を嵌合してガタ防止を行う。これにより、図５に示すようにカール除去装置が組み立てられる。かかるカール除去装置では、前記特開平５−２３８６１７号公報に記載されたカール除去装置におけるように、カール除去プレートをネジにより締結する必要がなく、比較的簡単にプレート保持部１００に対してカール除去プレート１０４を組み付けることが可能である。
【０００８】
【発明が解決しようとする課題】
しかしながら、前記カール除去装置において、カール除去プレート１０４における各支持部１０８の支持軸１０２方向への移動に起因するガタの発生を防止するために、Ｅリング１０９を支持軸１０２に嵌合する作業は、極めて狭いスペース内で行わなければならず、また、Ｅリング１０９の嵌合は専用の治具を使用して行う必要がある。従って、支持軸１０２へのＥリング１０９の嵌合作業は、非常に煩雑且つ困難な作業となる。
【０００９】
また、前記カール除去装置において、プレート保持部１００に対するカール除去プレート１０４の組み付けは、比較的簡単に行い得るものではあるが、前記のようにＥリング１０９を支持軸１０２に嵌合する必要があることから、かかる嵌合作業に対応して組立工数が多くなってしまい、コストアップを招来するものである。
【００１０】
本発明は前記従来の問題点を解消するためになされたものであり、カール除去装置のカール除去プレートを画像形成装置の本体に対してワンタッチで取り付けることが可能であり、もって組立工程を簡素化して組立作業を容易に行うことが可能なコストの低いカール除去装置を提供することを目的とする。
【００１１】
【課題を解決するための手段】
前記目的を達成するため請求項１に係る画像形成装置におけるカール除去装置は、ロール紙を転動可能に収納するロール紙トレイから引き出されたロール紙をカール方向とは逆方向に引張してカールを除去する画像形成装置におけるカール除去装置であって、ロール紙をカール方向とは逆方向に引張してカールを除去するカール除去部と、カール除去部から所定角度をもって連設されたホルダ部と、ホルダ部の両側に形成されるとともに支持孔が設けられた一対の支持部とを有するカール除去プレートと、カール除去プレートを回動可能に保持すべく画像形成装置の本体内部に設けられ、各支持部の支持孔に一側方向から挿嵌され、前記支持部を支持する支持軸が形成された一対の支持片と、ホルダ部が対向される平板部とを有するプレート保持部とが設けられてなるカール除去装置において、前記カール除去プレートのホルダ部又はプレート保持部の平板部の一方に形成された切欠部と、前記カール除去プレートのホルダ部又はプレート保持部の平板部の他方に形成されるとともに前記切欠部に弾性的に係止されて平板部に対するカール除去プレートの位置決めを行う弾性係止片とを備え、カール除去プレートは、各支持部の支持孔が各支持片の支持軸に対して一側方向から挿嵌されるようにホルダ部を平板部上でスライドさせるとともに、切欠部内に弾性係止片を係止することにより、プレート保持部に取り付けられる構成を有する。
【００１２】
請求項１のカール除去装置では、カール除去プレートのホルダ部又はプレート保持部の平板部の一方には切欠部が形成されており、また、カール除去プレートのホルダ部又はプレート保持部の他方には切欠部に弾性的に係止されて平板部に対するカール除去プレートの位置決めを行う弾性係止片が形成されている。そして、カール除去プレートをプレート保持部に取り付ける際には、各支持部の支持孔が各支持片の支持軸に対して一側方向から挿嵌されるようにホルダ部を平板部上でスライドさせるとともに、切欠部内に弾性係止片を係止する。このとき、弾性係止片は、切欠部内に弾性的に係止されてホルダ部に対するカール除去プレートの位置決め作用を行い、これによりカール除去プレートがプレート保持部から外れてしまうことはない。
【００１３】
このように、請求項１のカール除去装置では、カール除去プレートを画像形成装置の本体内部に設けられたプレート保持部に対してワンタッチで取り付けることが可能であり、更に、組立工程を簡素化して低いコストをもって組立作業を容易に行うことが可能となる。
【００１４】
また、請求項２に係る画像形成装置におけるカール除去装置は、請求項１のカール除去装置において、前記弾性係止片は、プレート保持部の平板部に連続する連結部を残存させた状態で周囲を切断することにより形成されていることを特徴とする。請求項２のカール除去装置では、弾性係止片が、プレート保持部の平板部に連続する連結部を残存させた状態で周囲を切断することにより形成され、従って、特別な部材を設けることなく切欠部と協働してカール除去プレートをプレート保持部に位置決めする弾性係止片を形成することが可能となる。
【００１５】
更に、請求項３に係る画像形成装置におけるカール除去装置は、請求項２のカール除去装置において、前記弾性係止片には、前記連結部と反対側の端部に係止突起が形成されていることを特徴とする。請求項３のカール除去装置では、弾性係止片に形成された係止突起が切欠部内に係止されることにより、カール除去プレートがプレート保持部に位置決めされる。
【００１６】
また、請求項４に係る画像形成装置におけるカール除去装置は、請求項３のカール除去装置において、前記係止突起は、前記一側方向側に傾斜面が形成されていることを特徴とする。請求項４のカール除去装置では、カール除去プレートのホルダ部がプレート保持部の平板部上でスライドされる一側方向側に傾斜面が形成されていることから、平板部上でホルダ部をスライドさせるにつきホルダ部は係止突起の傾斜面に沿ってスライドされることとなり、ホルダ部を平板部上でスムーズにスライドさせつつ係止突起を切欠部内に係止することが可能となる。
【００１７】
【発明の実施の形態】
以下、本発明に係る画像形成層値におけるカール除去装置について、本発明をファクシミリ装置のカール除去装置に具体化した実施形態に基づき図面を参照しつつ詳細に説明する。
【００１８】
先ず、本実施形態のカール除去装置が適用されるファクシミリ装置の全体構成について図１に基づき説明する。図１はファクシミリ装置の断面図である。図１において、ファクシミリ装置１の本体は、ファクシミリ番号等を入力するキースイッチパネル等が配設される操作カバー２、操作カバー２に固着された上部カバー３、上部カバー３の後方（図１中、右方）に配設される原稿案内カバー４、ファクシミリ装置１の本体の下部を構成する下部カバー５、及び、下部カバー５の底部に固着される底板６を有する。
【００１９】
ここに、原稿案内カバー４は下部カバー５の後端部（図１中、右端部）にて軸７の回りに回動可能にされており、また、原稿案内カバー４の前部には斜め下方に向けて延設されたカール除去補助部材８が一体に形成されている。かかるカール除去補助部材８は、その下端が円弧状に形成されて後述するカール除去プレート１４と協働してロール紙１１をそのカール方向とは逆方向に引張してカールを除去する作用を行う。また、原稿案内カバー４の右方部には、原稿をサポートする案内板９が付設されている。尚、原稿案内カバー４を軸７の回りで時計方向に回動させた際に、前記操作カバー２、上部カバー３は、原稿案内カバー４と共に一体に時計方向に回動される。更に、下部カバー５の後部には、芯体１０に巻回されてなるロール紙１１を転動可能に収納する円弧状のロール紙トレイ１２が設けられている。
【００２０】
また、ロール紙トレイ１２の左方位置にて下部カバー５にはプレート保持部１３が形成されており、かかるプレート保持部１３はカール除去プレート１４を回動可能に保持するものである。尚、プレート保持部１３及びカール除去プレート１４の詳細な構成、並びに、プレート保持部１３とカール除去プレート１４との組み付け関係については後述する。
【００２１】
ファクシミリ装置１の内部において、案内板９及び原稿案内カバー４を介して本体内部に案内給送される原稿の案内経路Ａ（一点鎖線で示す）に沿って原稿案内カバー４の下流側には、原稿送りローラ１５が配設されており、また、原稿送りローラ１５の下流側には、ローラ１６に圧接されて原稿の文字等を読み取るＣＣＤ読取ヘッド１７が配置されている。従って、案内板９にサポートされた原稿は、原稿送りローラ１５を介して案内経路Ａに沿って給送され、このように給送されている間にＣＣＤ読取ヘッド１７を介して文字等が読み取られるものである。
【００２２】
また、ファクシミリ装置１の内部において、ＣＣＤ読取ヘッド１７の下方には印字機構が配設されており、この印字機構は、サーマルヘッド１８とプラテンローラ１９とから構成されている。従って、ロール紙トレイ１２内に収納されたロール紙１１は、プラテンローラ１９により案内経路Ｂ（点線で示す）に沿って給送され、カール除去補助部材８とカール除去プレート１４との協働によりカール方向とは逆方向に引張されてカールが除去されつつサーマルヘッド１８を介して受信された文書の文字等が印字されるものである。
【００２３】
次に、プレート保持部１３及びカール除去プレート１４の詳細な構成、並びに、プレート保持部１３とカール除去プレート１４との組み付け関係について図２、図３に基づき説明する。図２はプレート保持部１３にカール除去プレート１４を組み付けた状態を示す斜視図、図３はプレート保持部１３の一部を拡大して示す斜視図である。
【００２４】
図２、図３において、プレート保持部１３は平板部２０を有し、かかる平板部２０には、その長手方向の両側で一対の支持片２１が形成されている。また、各支持片２１の一側面（図２中、右側面）には、支持軸２２が設けられている。更に、平板部２０にて一方の支持片２１の近傍位置には、図３に示すように、平板部２０に連続する連結部２３を残存させた状態で周囲を長方形状に切断することにより弾性係止片２４が形成されている。かかる弾性係止片２４は、連結部２３を基点として上下方向に可動である。また、弾性係止片２４において、連結部２３と反対側の端部に係止突起２５が形成されており、この係止突起２５には、後述するようにカール除去プレート１４が平板部２０上をスライドされる側（図２、図３中、係止突起２５の右側）に傾斜面２６が形成されている。
【００２５】
また、カール除去プレート１４は、金属薄板を折曲することにより形成されたカール除去部２７、及び、カール除去部２７から所定角度をもって連設されたホルダ部２８が一体に形成されてなる。また、カール除去部２７の両側縁からは、ホルダ部２８の両側に配置されるように一対の支持部２９が形成されており、各支持部２９には支持孔３０が設けられている。更に、ホルダ部２８には、前記プレート保持部１３の平板部２０に形成された弾性係止片２４に対応するように、切欠部３１が形成されている。尚、ホルダ部２８の側縁からはバネ支持部３２が形成されており、このバネ支持部３２にはコイルバネ３３が支持されている。かかるコイルバネ３３は、図１に示すように、プレート保持部１３に隣接して下部カバー５に形成されたバネ収納凹部３４に収納され、カール除去プレート１４が各支持片２１の支持軸２２を介して回動可能に支持された状態で、カール除去プレート１４を反時計方向に付勢する作用を行う。因みに、図１に示す状態では、ロール紙１１がカール除去補助部材８及びカール除去部２７に接触して引張された状態にあるので、カール除去プレート１４は、ロール紙１１の張力に基づきコイルバネ３３の付勢力に抗して若干時計方向に回動されている。
【００２６】
続いて、前記のように構成されるカール除去装置において、プレート保持部１３に対してカール除去プレート１４を組み付ける方法について説明する。先ず、ファクシミリ装置１の原稿案内カバー４と共に操作カバー２、上部カバー３を軸７の回りに時計方向に回動して本体内部を開放した状態で、カール除去プレート１４の各支持部２９を平板部２０における各支持片２１の右側に配置する。そして、カール除去プレート１４のホルダ部２８を平板部２０上で矢印Ｃ方向にスライドし、各支持部２９に形成された支持孔３０内に各支持片２１の支持軸２２を挿嵌する。このようにカール除去プレート１４をプレート保持部１３上でスライドしている間において、弾性係止片２４の係止突起２５はホルダ部２８の裏面に当接して下方に押下されるので、弾性係止片２４は下方に（平板部２０の内部方向に）弾性変形される。このとき、係止突起２５には傾斜面２６が形成されているので、ホルダ部２８が平板部２０上をスライドする上で何ら支障を発生することなくホルダ部２８は平板部２０上をスムーズにスライドされる。そして、切欠部３１の左端縁が係止突起２５の傾斜面２６を乗り越えた時点で、弾性係止片２４はその弾性力により元の状態に復帰し、これにより係止突起２５は、図２に示すように、その左端縁が切欠部３１の左端縁に当接した状態でホルダ部２８を係止するとともに、その位置でホルダ部２８の位置決めを行う。これにより、カール除去プレート１４は、プレート保持部１３に対して位置決め係止されるものである。
【００２７】
以上詳細に説明した通り本実施形態に係るカール除去装置では、カール除去プレート１４のホルダ部２８に切欠部３１が形成されており、また、プレート保持部１３には切欠部３１に弾性的に係止されて平板部２０に対するカール除去プレート１４の位置決めを行う弾性係止片２４が形成されており、カール除去プレート１４をプレート保持部１３に取り付ける際には、各支持部２９の支持孔３０が各支持片２１の支持軸２２に対して一側方向（矢印Ｃ方向）から挿嵌されるようにホルダ部２８を平板部２０上でスライドさせるとともに、切欠部３１内に弾性係止片２４を係止させるように構成したので、弾性係止片２４は、切欠部３１内に弾性的に係止されて平板部２０に対するカール除去プレート１４の位置決め作用を行い、これによりカール除去プレート１４がプレート保持部１３から外れてしまうことはない。従って、カール除去プレート１４をファクシミリ装置１の本体内部に設けられたプレート保持部１３に対してワンタッチで取り付けることができるとともに、カール除去装置の組立工程を簡素化して低いコストをもって組立作業を容易に行うことができる。
【００２８】
また、弾性係止片２４は、プレート保持部１３の平板部２０に連続する連結部２３を残存させた状態で周囲を切断することにより形成されており、従って、特別な部材を設けることなく切欠部３１と協働してカール除去プレート１４をプレート保持部１３に位置決めする弾性係止片２４を形成することができる。
【００２９】
更に、ホルダ部２８を平板部２０上でスライドさせるだけの簡単な作業により、弾性係止片２４に形成された係止突起２５が切欠部３１内に自動的に係止されるので、カール除去プレート１４をプレート保持部１３に簡単に位置決め係止することができる。
【００３０】
また、係止突起２５には、カール除去プレート１４のホルダ部２８がプレート保持部１３の平板部２０上でスライドされる一側方向側に傾斜面２６が形成されているので、平板部２０上でホルダ部２８をスライドさせるにつきホルダ部２８は係止突起２４の傾斜面２６に沿ってスライドされることとなり、ホルダ部２８を平板部２０上でスムーズにスライドさせつつ係止突起２４を切欠部３１内に係止することができる。
【００３１】
尚、本発明は前記実施形態に限定されるものではなく、本発明の要旨を逸脱しない範囲内で種々の改良、変形が可能であることは勿論である。例えば、前記実施形態ではカール除去プレート１４のホルダ部２８に切欠部３１を形成し、プレート保持部１３の平板部２０に弾性係止片２４を形成するように構成しているが、これとは逆に、例えば、ホルダ部２８に弾性係止片２４を形成するとともに、平板部２０に切欠部３１を形成するようにしても前記と同様の効果を得ることができる。
【００３２】
【発明の効果】
以上説明した通り請求項１のカール除去装置では、カール除去プレートのホルダ部又はプレート保持部の平板部の一方には切欠部が形成されており、また、カール除去プレートのホルダ部又はプレート保持部の他方には切欠部に弾性的に係止されてホルダ部に対するカール除去プレートの位置決めを行う弾性係止片が形成されており、カール除去プレートをプレート保持部に取り付ける際には、各支持部の支持孔が各支持片の支持軸に対して一側方向から挿嵌されるようにホルダ部を平板部上でスライドさせるとともに、切欠部内に弾性係止片を係止するように構成したので、弾性係止片は、切欠部内に弾性的に係止されてホルダ部に対するカール除去プレートの位置決め作用を行い、これによりカール除去プレートがプレート保持部から外れてしまうことはなく、従って、カール除去プレートを画像形成装置の本体内部に設けられたプレート保持部に対してワンタッチで取り付けることができるとともに、組立工程を簡素化して低いコストをもって組立作業を容易に行うことができる。
【００３３】
また、請求項２に係る画像形成装置におけるカール除去装置では、弾性係止片が、プレート保持部の平板部に連続する連結部を残存させた状態で周囲を切断することにより形成されており、従って、特別な部材を設けることなく切欠部と協働してカール除去プレートをプレート保持部に位置決めする弾性係止片を形成することができる。
【００３４】
更に、請求項３に係る画像形成装置におけるカール除去装置では、ホルダ部を平板部上でスライドさせるだけの簡単な作業により、弾性係止片に形成された係止突起が切欠部内に自動的に係止されるので、カール除去プレートをプレート保持部に簡単に位置決め係止することができる。
【００３５】
また、請求項４に係る画像形成装置におけるカール除去装置では、カール除去プレートのホルダ部がプレート保持部の平板部上でスライドされる一側方向側に傾斜面が形成されていることから、平板部上でホルダ部をスライドさせるにつきホルダ部は係止突起の傾斜面に沿ってスライドされることとなり、ホルダ部を平板部上でスムーズにスライドさせつつ係止突起を切欠部内に係止することができる。
【００３６】
以上の通り本発明は、カール除去装置のカール除去プレートを画像形成装置の本体に対してワンタッチで取り付けることが可能であり、もって組立工程を簡素化して組立作業を容易に行うことが可能なコストの低いカール除去装置を提供することができる。
【図面の簡単な説明】
【図１】  ファクシミリ装置の断面図である。
【図２】  プレート保持部にカール除去プレートを組み付けた状態を示す斜視図である。
【図３】  プレート保持部の一部を拡大して示す斜視図である。
【図４】  従来のカール除去装置においてカール除去プレートとプレート保持部との関係を模式的に示す斜視図である。
【図５】  カール除去プレートをプレート保持部に組み付けた状態を模式的に示す斜視図である。
【符号の説明】
１                    ファクシミリ装置
４                    原稿案内カバー
５                    下部カバー
７                    軸
８                    カール除去補助部材
１０                  芯体
１１                  ロール紙
１２                  ロール紙トレイ
１３                  プレート保持部
１４                  カール除去プレート
１７                  ＣＣＤ読取ヘッド
１８                  サーマルヘッド
２０                  平板部
２１                  支持片
２２                  支持軸
２３                  連結部
２４                  弾性係止片
２５                  係止突起
２６                  傾斜面
２７                  カール除去部
２８                  ホルダ部
２９                  支持部
３０                  支持孔
３１                  切欠部
【図１】
0003704815.tif 000002
【図２】
0003704815.tif 000003
【図３】
0003704815.tif 000004
【図４】
0003704815.tif 000005
【図５】
0003704815.tif 000006